(57)【要約】      （修正有）【課題】浮遊物発生部の機能に影響を与えず、浮遊物発生部の一面側に形成されている空洞部内での浮遊物の拡散を防止することができるハウジング構造並びにそのハウジング構造を備えた記録装置及び電子機器を提供すること。【解決手段】浮遊物の発生部１９０Ａが内蔵されていると共に、前記浮遊物発生部の一面側に空洞部１９３が設けられたハウジング構造であって、前記浮遊物発生部から前記空洞部への浮遊物の侵入を防止する部材１０２ａ、１０２ｃがミドルハウジング１０２に一体成形されて設けられている。これにより、浮遊物侵入防止部材は、浮遊物発生部に直接関与せずに浮遊物発生部にて発生した浮遊物の空洞部への流れ込みを阻止するので、浮遊物発生部の機能に影響を与えず、空洞部内での浮遊物の拡散を防止することができる。【選択図】図５
2008062531.tif 000002
【特許請求の範囲】
【請求項１】
浮遊物の発生部が内蔵されていると共に、前記浮遊物発生部の一面側に空洞部が設けられたハウジング構造であって、
前記浮遊物発生部から前記空洞部への浮遊物の侵入を防止する部材がハウジングに一体成形されて設けられたことを特徴とするハウジング構造。
【請求項２】
前記浮遊物侵入防止部材は、前記浮遊物発生部の一面側を全幅に亘って遮蔽する遮蔽壁を備えていることを特徴とする請求項１に記載のハウジング構造。
【請求項３】
前記浮遊物侵入防止部材は、前記空洞部の一部断面を遮蔽する遮蔽リブを備えていることを特徴とする請求項１又は２に記載のハウジング構造。
【請求項４】
前記空洞部は、制御基板が配置されることを特徴とする請求項１〜３の何れか一項に記載のハウジング構造。
【請求項５】
インク滴を吐出しつつ移動して記録する記録ヘッドを備えた記録装置であって、
請求項１〜４の何れか一項に記載のハウジング構造を備えたことを特徴とする記録装置。
【請求項６】
前記記録ヘッドを備えた記録部が前記浮遊物発生部であり、当該記録部にて発生するインクミストが前記浮遊物であることを特徴とする請求項５に記載の記録装置。
【請求項７】
前記記録ヘッドは、フラッシング処理が実行可能であることを特徴とする請求項６に記載の記録装置。
【請求項８】
請求項１〜４の何れか一項に記載のハウジング構造を備えたことを特徴とする電子機器。
【発明の詳細な説明】
【技術分野】
【０００１】
本発明は、浮遊物の発生部が内蔵されていると共に、浮遊物発生部の一面側に空洞部が形成されたハウジング構造並びにそのハウジング構造を備えた記録装置及び電子機器に関する。
【背景技術】
【０００２】
電子機器の１つであるインクジェット式記録装置は、記録ヘッドが搭載されたキャリッジを移動させつつ、記録ヘッドに設けられたノズル開口からインク滴を吐出することにより記録するようになっている。ところが、インク滴の吐出が少ないノズル開口においては、インク溶媒の蒸発に起因するインク粘度の上昇により、目詰まりが発生し易くなる。そこで、全ノズル開口からインク滴を廃インク吸収材に向けて定期的に吐出させるフラッシング処理を実行することにより、目詰まりを防止するようにしている。
【０００３】
ところで、近年の高画質化に伴ってインク滴の粒径が小さくなってきているため、インク滴の一部が廃インク吸収材に到達する前に空気抵抗によってミスト化して浮遊する場合がある。そして、浮遊しているインクミストは、キャリッジの移動に伴う空気流によっても煽られて飛散し、キャリッジの背面側に回り込んでキャリッジの移動制御のためのリニアエンコーダのリニアスケールに付着して汚染するおそれがある。尚、このインクミストの発生は、フラッシング処理のみならず、所謂縁無し印刷が可能な記録装置においても発生する。
【０００４】
そこで、キャリッジに空気流規制手段を設けたインクジェット式記録装置が提案されている。この空気流規制手段は、キャリッジ側方の空気流をキャリッジ背面側に導く空気流案内作用面と、キャリッジ背面側に導かれた空気流の上方への流れを規制すると共に、空気流の流れを主走査方向に方向付けする規制リブとを有している。これにより、キャリッジ背面に回り込むインクミストの流れを規制することができ、リニアスケールへのインクミストの付着を防止することができる（特許文献１参照）。
【０００５】
【特許文献１】特開２００５−８８２３５号公報
【発明の開示】
【発明が解決しようとする課題】
【０００６】
上述したインクジェット式記録装置では、キャリッジという機構部分を変更する必要があるため、記録機能に影響が出るおそれがある。また、リニアスケールへのインクミストの付着を防止することはできるが、キャリッジ背面側に空洞部が形成されている場合は、その空洞部内でのインクミストの拡散は防止することができない。
【０００７】
本発明は、上記のような課題に鑑みなされたものであり、その目的は、浮遊物発生部の機能に影響を与えず、浮遊物発生部の一面側に形成されている空洞部内での浮遊物の拡散を防止することができるハウジング構造並びにそのハウジング構造を備えた記録装置及び電子機器を提供することにある。
【課題を解決するための手段】
【０００８】
上記目的達成のため、本発明のハウジング構造では、浮遊物の発生部が内蔵されていると共に、前記浮遊物発生部の一面側に空洞部が設けられたハウジング構造であって、前記浮遊物発生部から前記空洞部への浮遊物の侵入を防止する部材がハウジングに一体成形されて設けられたことを特徴としている。これにより、浮遊物侵入防止部材は、浮遊物発生部に直接関与せずに浮遊物発生部にて発生した浮遊物の空洞部への流れ込みを阻止するので、浮遊物発生部の機能に影響を与えず、空洞部内での浮遊物の拡散を防止することができる。
【０００９】
また、前記浮遊物侵入防止部材は、前記浮遊物発生部の一面側を全幅に亘って遮蔽する遮蔽壁を備えていることを特徴としている。これにより、浮遊物は遮蔽壁に衝突して遮蔽壁に付着し易くなるので、浮遊物の空洞部への流れ込みを阻止することができる。また、前記浮遊物侵入防止部材は、前記空洞部の一部断面を遮蔽する遮蔽リブを備えていることを特徴としている。これにより、浮遊物が遮蔽壁の両側を回り込んできたとしても、当該浮遊物は遮蔽リブに衝突して遮蔽リブに付着し易くなるので、浮遊物の空洞部への侵入防止効果を更に高めることができる。また、前記空洞部は、制御基板が配置されることを特徴としている。これにより、浮遊物の付着により特に影響が出易い電気系統を保護することができる。
【００１０】
上記目的達成のため、本発明の記録装置では、インク滴を吐出しつつ移動して記録する記録ヘッドを備えた記録装置であって、上記各ハウジング構造を備えたことを特徴としている。これにより、上記各作用効果を奏する記録装置を提供することが可能である。また、前記記録ヘッドを備えた記録部が前記浮遊物発生部であり、当該記録部にて発生するインクミストが前記浮遊物であることを特徴としている。これにより、特に制御基板等の電気系部分の短絡や被記録媒体の汚染を防止することができる。また、前記記録ヘッドは、フラッシング処理が実行可能であることを特徴としている。これにより、インクミストが特に飛散し易いフラッシング処理が可能な記録装置におけるインクミストの汚染を防止することができる。また、上記目的達成のため、本発明の電子機器では、上記ハウジング構造を備えたことを特徴としている。これにより、上記各作用効果を奏する電子機器を提供することが可能である。
【発明を実施するための最良の形態】
【００１１】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１２】
図１は、本発明の一実施の形態に係るハウジング構造を備えた電子機器である記録装置の外観構成の全体を示す斜視図、図２は、図１のハウジング構造を示す分解斜視図、図３は、図１の記録装置の上部を取り外した状態を示す斜視図、図４は、図１の記録装置の内部を示す斜視図である。この記録装置は、プリンタ、コピー及びスキャナの機能を有するインクジェット式複合機１００である。このインクジェット式複合機１００は、図１に示すように、全体が略直方体状のハウジング構造１０１で覆われている。このハウジング構造１０１は、図１及び図２に示すように、ミドルハウジング１０２、スロットハウジング１０３、パネルハウジング１０４及びオペレーションパネル１０５に分割されている。
【００１３】
ミドルハウジング１０２は、図１に示すロワーハウジング１０６上に配設された図３及び図４に示すネットワーク機能用制御部１７０、用紙搬送部１８０及び記録部（浮遊物発生部）１９０等を覆うと共に、図１に示すように、前面側に操作部１１０、メモリカードスロット部１２０、ディスクスロット部１３０及び排紙部１５０が配設され、背面側に給紙部１４０が配設され、更に上部にスキャナ１６０が配設される図２に示すような略箱状に形成されている。スロットハウジング１０３は、図１に示すように、メモリカードスロット部１２０及びディスクスロット部１３０を覆うようにミドルハウジング１０２の前面側から差し込まれて取り付けられる図２に示すような垂直視断面が略コの字状に形成されている。
【００１４】
パネルハウジング１０４は、図１に示すように、操作部１１０を覆うようにスロットハウジング１０３の上部に取り付けられる図２に示すような略平板状に形成されている。オペレーションパネル１０５は、図２に示すように、側面がスロットハウジング１０３の縁部に当接して位置決めされ、図１に示すように、パネルハウジング１０４を覆うように取り付けられる図２に示すような略平板状に形成されている。尚、このハウジング構造１０１の詳細については後述する。
【００１５】
そして、図１に示すように、ハウジング構造１０１の上面における前面側には操作部１１０が配設され、前面における図示左側にはメモリカードスロット部１２０が配設され、前面における図示右側にはディスクスロット部１３０が配設されている。更に、ハウジング構造１０１の上面における背面側には給紙部１４０が配設され、前面側には排紙部１５０が配設され、上面にはスキャナ１６０が配設されている。また、図３及び図４に示すように、ハウジング構造１０１の内部には、ネットワーク機能用制御部１７０、用紙搬送部１８０及び記録部１９０が配設されている。
【００１６】
操作部１１０は、図１に示すように、略矩形状の操作パネル１１１を備え、この操作パネル１１１の略中央部に操作状態等を表示するユニット化された液晶ディスプレイ１１２が装着されている。そして、液晶ディスプレイ１１２の両側には、パワーをオン・オフするパワー系、用紙の頭出し等を操作したりインクのフラッシング等を操作する操作系、画像処理等を行う処理系等の複数のボタン１１３が配設されている。ユーザは、液晶ディスプレイ１１２を見て確認しながら各種のボタン１１３を操作することができるので、誤操作を防止することができる。
【００１７】
メモリカードスロット部１２０は、図１に示すように、図示矢印ａ方向に開閉自在なカバー１２１で覆われている。このメモリカードスロット部１２０は、複数スロット形成され、複数種類のメモリカードに対応可能に構成されている。ユーザは、インクジェット式複合機１００をパーソナルコンピュータに接続しなくても、インクジェット式複合機１００単独の状態でメモリカードスロット部１２０にメモリカードを差し込むのみで、メモリカードに格納されている画像等を記録することができる。
【００１８】
ディスクスロット部１３０は、図１に示すように、ＣＤ−Ｒ（Ｃｏｍｐａｃｔ  Ｄｉｓｋ−Ｒｅｃｏｒｄａｂｌｅ）等の読み書き可能なディスクやＤＶＤ−ＲＯＭ（Ｄｉｇｉｔａｌ  Ｖｅｒｓａｔｉｌｅ  Ｄｉｓｋ−Ｒｅａｄ  Ｏｎｌｙ  Ｍｅｍｏｒｙ）等の読み出し可能なディスクに対応可能に構成されている。ユーザは、インクジェット式複合機１００をパーソナルコンピュータに接続しなくても、インクジェット式複合機１００単独の状態でディスクスロット部１３０にディスクを差し込むのみで、ディスクに書き込まれている画像等を記録し、若しくはメモリカードに書き込まれている画像等をディスクに転送して書き込むことができる。
【００１９】
給紙部１４０は、図１に示すように、上方に向かって矩形状に開口した給紙口１４１に伸縮自在に設けられ、給紙する用紙を１枚もしくは複数枚サポートする機能を有する多段のペーパーサポート１４２を備えている。ユーザは、インクジェット式複合機１００を使用するときは、ペーパーサポート１４２の先端に指を掛けてペーパーサポート１４２を伸張することができるので、用紙のセッティングを容易に行うことができる。また、インクジェット式複合機１００を不使用のときは、ペーパーサポート１４２の先端を指で押して収縮させることができるので、ペーパーサポート１４２をコンパクトに収納することができる。
【００２０】
排紙部１５０は、図１に示すように、前方に向かって矩形状に開口した排紙口１５１を開閉する機能と、排紙される用紙を１枚もしくは複数枚スタックする機能を併せ持ったスタッカ１５２を備えている。このスタッカ１５２は、下端の回転軸を中心に図示矢印ｂ方向に回動可能に取り付けられている。ユーザは、インクジェット式複合機１００を使用又は不使用のときは、スタッカ１５２の上部に指を掛けてスタッカ１５２を開閉することができるので、セッティングを容易に行うことができ、また排紙口１５１内への埃の侵入を防止することができる。更に、記録後の用紙は常に前面側から排紙されるので、ユーザは用紙を容易に取り出すことができる。
【００２１】
ネットワーク機能用制御部１７０は、図３に示すように、着脱自在なカバー（ハウジング）１７１で覆われた基板格納部１７２内に無線ＬＡＮやＴＶとの接続を可能とする図示しないネットワーク機能用基板を備えている。用紙搬送部１８０は、図３及び図４に示すように、紙送りローラ１８１及び従動ローラ１８２等を備えている。給紙部１３０から給送される用紙は、図示しない紙送りモータにより回転される紙送りローラ１８１及び従動ローラ１８２により挟持されて搬送される。
【００２２】
記録部１９０は、図３及び図４に示すように、キャリッジ１９１、プラテン１９２、図示しない記録ヘッド及び廃インク吸収材等を備えている。記録ヘッドは、フルカラー印刷が可能なように、ハウジング構造１０１の前面両側内部に収納された例えばイエロー、マゼンタ、シアン、ライトマゼンタ、ライトシアン、ブラックの計６色の図示しないインクカートリッジから各色インクが供給される。そして、図示しないキャリッジモータにより走査されるキャリッジ１９１に搭載された記録ヘッドは、紙送りローラ１８１及び従動ローラ１８２により挟持されて搬送される用紙に対し、ノズル開口からインク滴を吐出して縁無し印刷処理等を実行する。また、インク滴の吐出が少ないノズル開口においては、インク溶媒の蒸発に起因するインク粘度の上昇により、目詰まりが発生し易くなるので、全ノズル開口からインク滴を廃インク吸収材に向けて定期的に吐出させるフラッシング処理を実行する。
【００２３】
ここで、この記録部１９０においては、フラッシング処理や縁無し印刷処理等のときに、記録ヘッドから吐出されるインク滴の一部が廃インク吸収材に到達する前に空気抵抗によってミスト化して浮遊する場合がある。そして、浮遊しているインクミストは、キャリッジ１９１の移動に伴う空気流によっても煽られて飛散し、特に記録部１９０の記録領域の背面側に侵入し易い。そこで、本実施形態のハウジング構造１０１は上記問題を解消するために以下のような特徴を備えており、更に図を参照して説明する。
【００２４】
図５は、上記ハウジング構造１０１の特徴部分を示す斜視図、図６は、図５に示す特徴部分の拡大斜視図である。図５に示すように、ミドルハウジング１０２は、記録部１９０の記録領域１９０Ａの背面側に空洞部１９３が形成されている。そして、この空洞部１９３は、記録部１９０の記録領域１９０Ａに沿う溝状に形成されており、内部にはサブ基板１７３が配設されている。上述したように、記録部１９０にて浮遊しているインクミストは、キャリッジ１９１の移動に伴う空気流によって煽られて飛散し、記録部１９０の記録領域１９０Ａの背面側の空洞部１９３に侵入し、サブ基板１７３に付着して汚染するおそれがある。
【００２５】
そこで、記録部１９０の記録領域１９０Ａと空洞部１９３の間には、インクミストの侵入を防止する遮蔽壁（浮遊物侵入防止部材）１０２ａがミドルハウジング１０２に一体成形されている。この遮蔽壁１０２ａは、ミドルハウジング１０２の左右の側壁１０２ｂ間に形成されており、記録部１９０の記録領域１９０Ａの背面側を全幅に亘って遮蔽している。これにより、インクミストは遮蔽壁１０２ａに衝突して遮蔽壁１０２ａに付着し易くなるので、インクミストの空洞部１９３への流れ込みを阻止することができる。
【００２６】
更に、空洞部１９３内には、インクミストの侵入を防止する遮蔽リブ（浮遊物侵入防止部材）１０２ｃがミドルハウジング１０２に一体成形されている。遮蔽リブ１０２ｃは、溝状の空洞部１９３の溝幅間に形成されており、空洞部１９３の一部断面、即ちサブ基板１７３の両側を遮蔽している。これにより、インクミストが遮蔽壁１０２ａの両側を回り込んできたとしても、当該インクミストは遮蔽リブ１０２ｃに衝突して遮蔽リブ１０２ｃに付着し易くなるので、インクミストの空洞部１９３への侵入防止効果を更に高めることができる。
【００２７】
以上のように、遮蔽壁１０２ａ及び遮蔽リブ１０２ｃは、記録部１９０に直接関与せずにインクミストの空洞部１９３への流れ込みを阻止するので、記録部１９０の機能に影響を与えず、空洞部１９３内へのインクミストの拡散を防止することができ、インクミストの付着により特に影響が出易いサブ基板１７３を保護することができる。尚、上述した実施形態では、インクミストの拡散を防止するようにしたが、インクミストのみならず、浮遊物であれば塵や埃等の異物の拡散も防止することができる。
【産業上の利用可能性】
【００２８】
ハウジング構造を備えた記録装置であれば、例えばファクシミリ装置、コピー装置、スキャナ等であっても適用可能である。また、記録装置に限らず、パネル構造を備えた一般的な電子装置にも適用可能である。
【図面の簡単な説明】
【００２９】
【図１】本発明の一実施の形態に係るハウジング構造を備えた電子機器である記録装置の外観構成の全体を示す斜視図である。
【図２】図１のハウジング構造を示す分解斜視図である。
【図３】図１の記録装置の上部を取り外した状態を示す斜視図である。
【図４】図１の記録装置の内部を示す斜視図である。
【図５】図１のハウジングの特徴部分を示す斜視図である。
【図６】図５に示す特徴部分の拡大斜視図である。
【符号の説明】
【００３０】
１００  インクジェット式複合機、１０１  ハウジング構造、１０２  ミドルハウジング、１０２ａ  遮蔽壁、１０２ｃ  遮蔽リブ、１１０  操作部、１２０  メモリカードスロット部、１３０  ディスクスロット部、１４０  給紙部、１５０  排紙部、１６０  スキャナ、１７０  ネットワーク機能用制御部、１７３  サブ基板、１８０  用紙搬送部、１９０  記録部、１９１  キャリッジ、１９３  空洞部
【図１】
2008062531.tif 000003
【図２】
2008062531.tif 000004
【図３】
2008062531.tif 000005
【図４】
2008062531.tif 000006
【図５】
2008062531.tif 000007
【図６】
2008062531.tif 000008